(57)【要約】  【課題】プラグフェルールに横方向から荷重が加わったときに、光ファイバ間の接合損失の増加を低く抑えることができる光レセプタクルと光モジュールを提供する。  【解決手段】フェルール１１とフェルール１１の内孔に挿入された光ファイバ１２とを含んでなるファイバスタブ１０と、ファイバスタブ１０の後端部を保持する嵌合孔を有する筒状のホルダ４０と、一端から他端に延びるスリット２０ａを有し、他端側からファイバスタブ１１の先端部が貫通孔に挿入されたスリーブ２０と、スリーブ２０が収納される収納孔３０ｈを有し、一端部が前記ホルダ４０に固定される筒状の収納部材３０と、スリーブ２０の外径より大きい内径を有し、収納孔３０ｈ内で前記スリーブ２０の少なくとも一端側の外周を覆ってスリーブ２０の拡がりを制限する環状部材５２と、を備えた。【選択図】  図１
2009098684.tif 000002
【特許請求の範囲】
【請求項１】
フェルールと該フェルールの内孔に挿入された光ファイバとを含んでなるファイバスタブと、
前記ファイバスタブの後端部を保持する嵌合孔を有する筒状のホルダと、
一端から他端に延びるスリットを有し、他端側から前記ファイバスタブの先端部が貫通孔に挿入されたスリーブと、
前記スリーブが収納される収納孔を有し、一端部が前記ホルダに固定される筒状の収納部材と、
前記スリーブの外径より大きい内径を有し、前記収納孔内で前記スリーブの少なくとも一端側の外周を覆って前記スリーブの拡がりを制限する環状部材と、を備えたことを特徴とする光レセプタクル。
【請求項２】
前記環状部材は、一端から他端に延びるスリットを有しており、該スリットが前記スリーブのスリットと反対側に位置するように配置されていることを特徴とする請求項１記載の光レセプタクル。
【請求項３】
前記環状部材は、前記スリーブ全体を覆うことを特徴とする請求項１または２に記載の光レセプタクル。
【請求項４】
前記環状部材は前記スリーブの一端側の外周を覆っており、該環状部材が前記収納孔内において前記割スリーブの他端側を覆うスペーサリングによって位置決めされる請求項１乃至３のいずれかに記載の光レセプタクル。
【請求項５】
前記環状部材は、前記スリーブの一端側の端面に係止する係止部を有することを特徴とする請求項１乃至４のいずれかに記載の光レセプタクル。
【請求項６】
前記収納部材の他端部の内径は、前記環状部材の外径よりも小さいことを特徴とする請求項１乃至５のいずれかに記載の光レセプタクル。
【請求項７】
請求項１乃至６のいずれかに記載の光レセプタクルと、
前記ファイバスタブの光ファイバに向けて光を出射する、または、前記ファイバスタブの光ファイバを介して光を受けるための光素子と、
前記光レセプタクルに接続され、かつ前記光素子を収容する筐体と、
を備える光モジュール。
【発明の詳細な説明】
【技術分野】
【０００１】
本発明は光レセプタクルおよび光モジュールに関し、特に光通信用の光レセプタクルおよび光モジュールに関する。
【背景技術】
【０００２】
光モジュールは、光レセプタクルの後端面側に、光素子が収納される筺体を例えば溶接により接合することにより構成され、光レセプタクルはさらに、ファイバスタブと、スリーブと、金属製のスリーブケース（収納部材）と、スリーブケース（収納部材）に接合されたホルダとによって構成される。具体的には、光レセプタクルにおいて、ファイバスタブは、例えば、ジルコニア、アルミナ等のセラミック材料からなるフェルールと、該フェルールの貫通孔に石英ガラス等からなる光ファイバを挿入固定して得られ、ファイバスタブの先端部は、スリーブの内孔に挿入され、そのスリーブを保護するためのスリーブケース（収納部材）がホルダに圧入または接着により固定されている。
【０００３】
このように構成された光モジュールにおいて、前端面側（光素子が配置される端面の反対側）より、プラグフェルールがスリーブの内孔に挿入されて、プラグフェルールに保持された光ファイバの端面がファイバスタブに挿入された光ファイバの端面に当接される。
【０００４】
近年、光レセプタクルが使用される光トランシーバの市場では、小型、高密度実装の要求から、例えば、光レセプタクルにおけるスリーブの全長が短くなるに従って、割スリーブのプラグフェルールおよびファイバスタブを把持する部分が短くなり、相対的に把持力も下がる傾向になってきている。このため、ファイバスタブを挿入した割スリーブの外側に把持リングを圧入し、割スリーブの把持力を上げようとする光レセプタクルもある（たとえば特許文献１参照）
【特許文献１】特開平１０−３３２９８８号公報
【発明の開示】
【発明が解決しようとする課題】
【０００５】
しかしながら、従来の構造の光レセプタクルは、プラグフェルールに横方向から荷重が加わったときに、プラグフェルールに保持された光ファイバとファイバスタブに挿入された光ファイバ間の接合損失が増加するという問題があった。
【０００６】
さらに、ファイバスタブを挿入した割スリーブの外側に把持リングを圧入し、割スリーブの把持力を上げようとする光レセプタクルにおいても、プラグフェルール挿入側の割スリーブに対しては、把持力の向上効果が少ないため、接合損失が増加するという問題があった。また、プラグフェルールに横方向から荷重が大きくなった場合は、割スリーブが破損する可能性もあった。
【０００７】
そこで、本発明は、プラグフェルールに横方向から荷重が加わったときに、光ファイバ間の接合損失の増加を低く抑えることができ、かつ割スリーブの破損を防止する光レセプタクルと光モジュールを提供することを目的とする。
【課題を解決するための手段】
【０００８】
以上の目的を達成するために、本発明に係る光レセプタクルは、フェルールと該フェルールの内孔に挿入された光ファイバとを含んでなるファイバスタブと、前記ファイバスタブの後端部を保持する嵌合孔を有する筒状のホルダと、一端から他端に延びるスリットを有し、他端側から前記ファイバスタブの先端部が貫通孔に挿入されたスリーブと、前記スリーブが収納される収納孔を有し、一端部が前記ホルダに固定される筒状の収納部材と、前記スリーブの外径より大きい内径を有し、前記収納孔内で前記スリーブの少なくとも一端側の外周を覆って前記スリーブの拡がりを制限する環状部材と、を備えたことを特徴とする。
【０００９】
本発明に係る光レセプタクルにおいて、前記環状部材は、一端から他端に延びるスリットを有しており、該スリットが前記スリーブのスリットと反対側に位置するように配置されていてもよい。
【００１０】
本発明に係る光レセプタクルにおいて、前記環状部材は、前記スリーブ全体を覆っていてもよいし、前記スリーブの一端側の外周を覆い該環状部材が前記収納孔内において前記割スリーブの他端側を覆うスペーサリングによって位置決めされていてもよい。
【００１１】
本発明に係る光レセプタクルにおいて、前記環状部材は、前記スリーブの一端側の端面に係止する係止部を有するようにしてもよい。
【００１２】
本発明に係る光レセプタクルにおいて、前記収納部材の他端部の内径は、前記環状部材の外径よりも小さくすることが好ましい。
【００１３】
本発明に係る光モジュールは、本発明に係る光レセプタクルと、前記ファイバスタブの光ファイバに向けて光を出射する、または、前記ファイバスタブの光ファイバを介して光を受けるための光素子と、前記光レセプタクルに接続され、かつ前記光素子を収容する筐体と、を備えることを特徴とする。
【発明の効果】
【００１４】
以上のように構成された本発明に係る光レセプタクルおよび光モジュールは、前記収納孔内で前記スリーブの少なくとも一端側の外周を覆って前記スリーブの拡がりを制限する環状部材を備えているので、プラグフェルールに横方向から荷重が加わったときに、光ファイバ間の接合損失の増加を低く抑え、かつ割スリーブの破損を防止することができる。
【発明を実施するための最良の形態】
【００１５】
以下、図面を参照しながら、本発明に係る実施の形態の光レセプタクルについて説明する。
【００１６】
本発明に係る実施形態の光レセプタクルは、例えば、図１〜図５に示すように、ファイバスタブ１０と、スリーブ２０と、その収納孔にスリーブ２０が挿入される収納部材３０と、収納部材３０が固定されるホルダ４０とを有してなり、さらに、収納部材３０の収納孔の内壁とスリーブ２０の間に、環状部材５１〜５４が挿入されている。この環状部材は、スリーブ２０の外径より大きい内径を有し、スリーブ２０の少なくとも一端側（プラグフェルールが挿入される側）の外周を覆って収納孔内でスリーブ２０の拡がりを制限している。
【００１７】
すなわち、従来の光レセプタクルでは、収納部材３０の収納孔３０ｈの内周とスリーブ２０の外周との間の隙間を一定以上小さくできないことから、いわゆる遊びが大きすぎて、プラグフェルールに横方向から荷重が加わったときに、スリーブ２０が外側に拡がって、光ファイバ間の接合損失の増加を低く抑えることができなかった。しかしながら、本発明では、この環状部材５１〜５４でスリーブ２０の拡がりが制限されるので、プラグフェルールに横方向から荷重が加わった場合であっても、スリーブの外側への拡がりが抑えられる。したがって、当接する光ファイバ間のずれを小さくでき、光ファイバ間の接合損失の増加を低く抑えることができる。また、本発明に係る実施形態の光レセプタクルでは、環状部材でスリーブ２０の拡がりが制限できるため、スリーブ２０が破壊限界まで拡がらず、スリーブ２０の破損を防止することができる。
【００１８】
本発明において、収納部材３０の収納孔３０ｈの内壁とスリーブ２０の間に環状部材５１〜５４を挿入して収納孔３０ｈ内においてさらにスリーブ２０の拡がりを制限している以外は、従来の光レセプタクルと同様に構成される。
【００１９】
以下、各部材の具体的な構成について説明する。
【００２０】
ファイバスタブ１０は、フェルール１１の貫通孔に光ファイバ１２が挿入されてなる。
【００２１】
フェルール１１は、光ファイバ１２を保護するとともに、後述するスリーブ２０と協働してファイバスタブ１０の中心軸とプラグ６０の中心軸とを一致させるための部材である。フェルール１１を構成する材料としては、酸化ジルコニウム（ジルコニア）、酸化アルミニウム（アルミナ）、ムライト、窒化ケイ素、炭化ケイ素および窒化アルミニウムなどの単体もしくはこれらを主成分として含むセラミックス、結晶化ガラスなどのガラスセラミックス、燐青銅、ベリリウム銅、黄銅、ステンレスなどの金属、エポキシや液晶ポリマなどのプラスチックスなどが挙げられ、中でも耐候性や靭性に優れたジルコニア系セラミックス（ジルコニアを主成分とするセラミックス）が好適である。ジルコニア系セラミックスの中でも、とりわけ、酸化ジルコニウム（ＺｒＯ２）を主成分とし、Ｙ２Ｏ３、ＣａＯ、ＭｇＯ、ＣｅＯ２、Ｄｙ２Ｏ３などからなる群より選択される少なくとも一種を安定化剤として含む部分安定化ジルコニアセラミックス（正方晶の結晶が主体）が、耐摩耗性および弾性変形性の観点からより好ましい材料として挙げられる。
【００２２】
光ファイバ１２は、光を伝播するためのものである。光ファイバ１２としては、石英系光ファイバ、プラスチック系光ファイバおよび多成分ガラス系光ファイバなどを用いることができる。
【００２３】
また、ファイバスタブ１０の後端面は、ファイバスタブ１０の軸に対して所定の角度（例えば４〜１０°）で傾斜する傾斜面とすることが好ましく、このような傾斜面とすることで、例えば光素子（ＬＥＤやＬＤなど）から出射された光が光ファイバ１２の端面で反射し、その反射光が光素子に戻るのを防ぐことができる。
【００２４】
スリーブ２０は、ファイバスタブ１０およびプラグ６０が挿入される貫通孔を有し、ファイバスタブ１０の光ファイバの光軸と、プラグ６０の光ファイバの光軸とを一致させる機能を担う部材である。このスリーブ２０の貫通孔には、一端からプラグ６０が挿入され、他端からファイバスタブ１０が挿入される。
【００２５】
本発明において、スリーブ２０として、図１〜図５に示すように、長手方向に延びるスリットを有する、いわゆる割スリーブを用いている。このような割スリーブは、スリット２０ａが形成されているため、プラグ６０が挿入されると、割スリーブの径が拡大し、プラグ６０を弾性変形によって把持することができる。スリーブ２０は、ファイバスタブ１０の光軸とプラグ６０の光軸とが一致するようにプラグ６０を保持する必要がある。本発明では、環状部材５１〜５４でスリーブ２０の拡がりを制限できるので、横方向から荷重がかかっても、プラグ６０に対する把持力の低下を低減することができる。したがって、当接する光ファイバ間のずれを小さくでき、光ファイバ間の接合損失の増加を低く抑えることができ、かつ割スリーブの破損を防止することができる。
【００２６】
収納部材３０は、スリーブ２０を収容するための略円筒形状の筒状部材であり、ファイバスタブ１０の先端部とプラグ６０が挿入される収納孔３０ｈを有し、その後端部が、ホルダ４０の凹部に圧入される。収納部材３０のスリーブ２０を収容するための収納孔の径は、スリーブ２０の外径より大きく構成されている。
【００２７】
収納部材３０を構成する材料としては、合成樹脂（熱可塑性樹脂および熱硬化性樹脂など）、金属（ステンレス、銅、鉄およびニッケルなど）、セラミックス（酸化アルミニウム（アルミナ）および酸化ジルコニウム（ジルコニア）など）、ガラス（石英など）などが挙げられる。この中でもホルダ４０との固定を考慮し、熱膨張係数を合わせて信頼性を高めるため、ホルダ４０と同様、ステンレスを用いるのが好ましい。
【００２８】
ホルダ４０は、ファイバスタブ１０を保持する第１嵌合孔４１ｈと収納部材３０を保持する第２嵌合孔４２ｈとを有し、第１嵌合孔４１ｈと第２嵌合孔４２ｈは同軸で連通している。そして、第１嵌合孔４１ｈにファイバスタブ１０の後端部が挿入され、第２嵌合孔４２ｈに収納部材３０の後端部が嵌合される。
【００２９】
以下、本発明に係る特徴部分である環状部材の種々の形態について詳細に説明する。
【００３０】
実施形態１．
図１（ａ）は、本発明に係る実施形態１の光レセプタクルの断面図であり、図１（ｂ）は、図１（ａ）の断面ＩＡ−ＩＡについての断面図である。
【００３１】
この実施形態１の環状部材５１は、スリーブ２０全体を覆うことを特徴とする。
【００３２】
以上のように構成された実施形態１の光レセプタクルでは、プラグフェルール６１とその内孔に挿入された光ファイバ６２からなるプラグ６０が挿入されたときに（図２（ａ））、スリーブ２０の外周の一部が環状部材５１の内周に当接してスリーブ２０の拡がりが制限される（図２（ｂ））。
【００３３】
また、実施形態１の光レセプタクルでは、スリーブ２０と実質的に同一の長さを有する筒状の環状部材５１を用いているので、スリーブ２０の一端側の拡がりを制限するだけではなく、中央部およびスリーブ２０の他端側（ファイバスタブ１０が挿入されている側）の拡がりも制限することが可能になる。
【００３４】
これにより、ファイバスタブ１０に横方向の荷重がかかった場合であっても、当接する光ファイバ間のずれを小さくでき、光ファイバ間の接合損失の増加をより低く抑えることができる。
【００３５】
実施形態２．
図３（ａ）は、本発明に係る実施形態２の光レセプタクルの断面図であり、図３（ｂ）は、図３（ａ）の断面ＩＩＡ−ＩＩＡについての断面図である。
【００３６】
この実施形態２の環状部材５２は、スリーブ２０とほぼ同等の長さからなり、スリーブ２０と同じく長手方向にスリット５２ａを有している。また、スリーブ２０の外径とほぼ同等の内径を有し、収納部材３０の収納孔３０ｈの径より小さい外径からなる。そして、スリーブ２０が環状部材５２に挿通されて、環状部材５２がスリーブ２０の外周面を覆うようにされている。環状部材５２のスリット５２ａは、スリーブ２０のスリット２０ａとほぼ対向する位置に配置されている。すなわち、スリーブ２０の軸に関してスリット２０ａと対称な位置に環状部材５２のスリット５２ａが位置するようにされている。
【００３７】
以上のように構成された実施形態２の光レセプタクルでは、プラグ６０が挿入されたときに、環状部材５２と収納部材３０の収納孔３０ｈとのクリアランス内でスリーブ２０の先端部の拡がりが制限される。
【００３８】
また、実施形態２の光レセプタクルは、環状部材５２がスリット５２ａを有する割スリーブ形状であるため、弾性変形によってファイバスタブ１０への把持力を向上させることができる。
【００３９】
実施形態３．
図４（ａ）は、本発明に係る実施形態３の光レセプタクルの断面図であり、図３Ｂは、図４（ａ）の断面ＩＩＩＡ−ＩＩＩＡについての断面図である。
【００４０】
この実施形態３の環状部材５３は、スリーブ２０の先端部に設けられてスリーブ２０の一端側の拡がりを制限するリング状の部材であって、内径が異なる係止部５３ｂと制限部５３ａとからなる。係止部５３ｂは、スリーブ２０の内径より大きくスリーブ２０の外径より小さい内径を有し、プラグ６０の挿入を妨げないように、スリーブ２０の先端に係止されて、環状部材５３をスリーブ２０の先端部に保持する。制限部５３ａは、スリーブ２０の外径より大きい内径を有し、スリーブ２０の先端部の外周を覆い、スリーブ２０の先端部の外側への拡がりを抑える。
【００４１】
以上のように構成された実施形態３の光レセプタクルでは、プラグ６０が挿入されたときに、スリーブ２０の外周の一部が制限部５３ａの内周に当接してスリーブ２０の先端部の拡がりが制限される。
【００４２】
また、実施形態３の光レセプタクルは、環状部材でスリーブ２０全体を覆うのではなく、スリーブ２０の先端部分のみを覆うようにしているので、スリーブ２０のファイバスタブ１０側、つまり後端部において、スリーブ２０と収納部材３０との間に空間が生じる。その空間を利用して、スリーブ２０を部分的に厚くし、ファイバスタブへの把持力を向上させることができる。
【００４３】
実施形態４．
図５（ａ）は、本発明に係る実施形態４の光レセプタクルの断面図であり、図５（ｂ）は、図５（ａ）の断面に直交するＩＶＡ−ＩＶＡについての断面図である。
【００４４】
この実施形態４の環状部材５４は、スリーブ２０の先端部に設けられてスリーブ２０の一端側の拡がりを制限するリング状の部材であって、スリーブ２０の外径より大きい内径を有し、スリーブ２０の先端部の外周を覆い、スリーブ２０の先端部の外側への拡がりを抑える。実施形態４では、係止部をもっていない代わり、スペーサ部材７０を用いて、環状部材５４をスリーブ２０の先端部に保持している。
【００４５】
以上のように構成された実施形態４の光レセプタクルでは、プラグ６０が挿入されたときに、スリーブ２０の外周の一部が環状部材５４の内周に当接してスリーブ２０の先端部の拡がりが制限される。
【００４６】
また、実施形態４の光レセプタクルは、高い寸法精度が必要とされる環状部材５４でスリーブ２０全体を覆うのではなく、スリーブ２０の先端部分のみを覆うようにして、残部をスペーサ部材７０にて環状部材５４をスリーブ２０の先端部に保持しているので、高精度で作製する部材を小さくできるため、低いコストでスリーブ２０の先端部の拡がりを抑えられる。
【００４７】
以上の本発明に係る実施形態１〜４の光レセプタクルにおいて、図６に示すように、収納部材３０の他端部（プラグの挿入側の端部）の開口径（内径）Ａを、前記環状部材５１〜５４の外径Ｄよりも小さくして、環状部材５１〜５４の離脱を防止するようにしてもよい。
【００４８】
この場合、収納部材３０の他端部（プラグの挿入側の端部）の開口径（内径）Ａは、スリーブの内径より大きくすることは言うまでもない。
【００４９】
実施形態５．
図７は、本発明に係る実施形態５の光モジュールの断面図である。この実施形態５の光モジュールは、本発明に係る光レセプタクル１と光素子ユニット１００からなる。
【００５０】
本実施形態５の光モジュールにおいて、光素子ユニット１００は、光素子１０１と、レンズ１０２と、筐体１０３とを備えている。
【００５１】
光素子１０１は、ファイバスタブ１０の光ファイバ１２に向けて光を出射するための発光素子、または、ファイバスタブ１０の光ファイバ１２を介して導出された光を受光するための受光素子である。発光素子としては、半導体レーザやＬＥＤなどの発光ダイオードなどが挙げられ、受光素子としては、受信用のＰＤ（フォトダイオード）などが挙げられる。
【００５２】
レンズ１０２は、光素子１０１が発光素子の場合は該発光素子から出射された光を集光してファイバスタブ１０の光ファイバに導入する機能を担い、光素子１０１が受光素子の場合はファイバスタブ１０の光ファイバから出射された光を集光して該受光素子に導入する機能を担う部材である。
【００５３】
筐体１０３は、光素子１０１およびレンズ１０２を収容するための部材であり、光レセプタクル１に例えば溶接により接合される。筐体１０３を構成する材料としては、ステンレス、銅、鉄、ニッケルなどの溶接可能なものが挙げられ、中でも耐腐食性や溶接性の観点からステンレスが好適である。
【００５４】
以上、本発明の具体的な実施形態を示したが、本発明はこれに限定されるものではなく、発明の思想から逸脱しない範囲内で種々の変更が可能である。
【実施例】
【００５５】
以下のように、実施例の光レセプタクルと比較例の光レセプタクルをそれぞれ作製して評価した。
【００５６】
実施例として図１（図１（ａ）、図１（ｂ））に示すＬＣ光レセプタクルを５個作製した。
【００５７】
ファイバスタブ１０に用いたフェルール１１は、ジルコニアセラミックスからなり、押し出し成形によって円筒状のセラミックス成形体を得て焼成工程で焼き固め、切削加工を行なって図１に示す形状の試料を得た。
【００５８】
こうして得られたフェルール１１の内孔に光ファイバ１２を挿入固定し、先端面を曲率半径２０ｍｍ程度の曲面に鏡面研磨し、反対側のファイバスタブ後端部は、ＬＤ等の光素子から出射された光が反射して光素子に戻る反射光を防止するため、８°の傾斜面に鏡面研磨を行ない、ファイバスタブ１０とした。
【００５９】
そのファイバスタブ後端部を金属製のホルダ４０へ圧入固定し、そのあとフェルール１１と同様に、ジルコニアセラミックスからなり、押し出し成形によって円筒状のセラミックス成形体を得て焼成工程で焼き固め、切削加工を行なって得られた割スリーブ２０を挿入した。次いで、ステンレスからなり、引き抜き加工および研磨加工にて得られた環状部材５１を、割スリーブ２０を覆うように挿入した。最後に、金属製の収納部材３０をホルダ４０へ圧入固定した。
【００６０】
また比較例の試料として、環状部材５１がない光レセプタクルを５個作製した。なお、他の構成については、上述した試料と同様である。
【００６１】
そして、上記により完成した光レセプタクルの試料に対して、以下のような測定を行なった。まず、光レセプタクルにプラグを挿入する。次に、レーザダイオードを備えた発光装置から光をファイバスタブの光ファイバに入力し、プラグの光ファイバから出力された光をパワーメータで受光することによって、ファイバスタブとプラグとの間で発生する接続損失の測定を行なった。この際、プラグには、プラグフェルール６０の軸方向に対して垂直な方向から１．１Ｎの横荷重をかけた状態で、接続損失の測定を行なった。
【００６２】
その結果、比較例の試料では、接続損失が、最大値で２．４ｄＢ、最小値で１．８ｄＢ、平均値が２．１ｄＢであったのに対し、本発明の実施例の試料では、接続損失が、最大値で０．２ｄＢ、最小値で０．０７ｄＢ、平均値が０．１３ｄＢであり、横荷重に対する接続損失の変動を抑制することができた（図８，９）。
【図面の簡単な説明】
【００６３】
【図１】（ａ）は本発明に係る実施形態１の光レセプタクルの断面図である。（ｂ）は（ａ）の断面ＩＡ−ＩＡについての断面図である。
【図２】（ａ）は実施形態１の光レセプタクルにプラグ６０が挿入されたときの断面図である。（ｂ）は（ａ）の断面ＩＣ−ＩＣについての断面図である。
【図３】（ａ）は本発明に係る実施形態２の光レセプタクルの断面図である。（ｂ）は（ａ）の断面に直交するＩＩＡ−ＩＩＡについての断面図である。
【図４】（ａ）は本発明に係る実施形態３の光レセプタクルの断面図である。（ｂ）は（ａ）の断面に直交するＩＩＩＡ−ＩＩＩＡについての断面図である。
【図５】（ａ）は本発明に係る実施形態４の光レセプタクルの断面図である。（ｂ）は（ａ）の断面に直交するＩＶＡ−ＩＶＡについての断面図である。
【図６】本発明に係る実施形態１〜４の変形例の光レセプタクルの断面図である。
【図７】本発明に係る実施形態５の光モジュールの断面図である。
【図８】本発明に係る実施例の光レセプタクルにおける横荷重に対する接続損失の関係を示すグラフである。
【図９】比較例の光レセプタクルにおける横荷重に対する接続損失の関係を示すグラフである。
【符号の説明】
【００６４】
１  光レセプタクル、１０  ファイバスタブ、１１  フェルール、１２  光ファイバ、２０  スリーブ、２０ａ  スリット、３０  収納部材、３０ｈ  収納孔、４０  ホルダ、４１ｈ  第１嵌合孔、４２ｈ  第２嵌合孔、５１，５２，５３，５４  環状部材、５２ａ  スリット、５３ｂ  係止部、５３ａ  制限部、６０  プラグ、６１  プラグフェルール、６２  光ファイバ、７０  スペーサ部材、１００  光素子ユニット、１０１  光素子、１０２  レンズ、１０３  筐体。
【図１】
2009098684.tif 000003
【図２】
2009098684.tif 000004
【図３】
2009098684.tif 000005
【図４】
2009098684.tif 000006
【図５】
2009098684.tif 000007
【図６】
2009098684.tif 000008
【図７】
2009098684.tif 000009
【図８】
2009098684.tif 000010
【図９】
2009098684.tif 000011